(57)【特許請求の範囲】
【請求項１】
技術的設備または技術的プロセスの複数の警報メッセージを管理する警報管理システムであって、
前記複数の警報メッセージは、データ処理装置へ供給されることができ、複数のディスプレイモジュール（41、42、43…4n）を使用して提示されることができ、
前記データ処理装置は、それぞれ係属中の複数の警報メッセージの異なるタイプの提示のために複数の警報チャンネル（K1、K2、K3）を作成するモジュール（10）を有し、
前記モジュール（10）を使用して作成された複数の警報チャンネル（K1、K2、K3）の各々は、前記複数のディスプレイモジュール（41、42、43…4n）のうちの１つのディスプレイモジュールへそれぞれ割当てられており、
前記作成された複数の警報チャンネル（K1、K2、K3）は、複数の通信チャンネルの形態であり、前記複数の警報メッセージを前記複数のディスプレイモジュール（41、42、43…4n）に送信することを目的としており、
対応するディスプレイモジュール（41、42、43…4n）への割当てに関する境界条件（50）が、作成された前記警報チャンネル（K1、K2、K3）に対してそれぞれ規定されており、
前記複数のディスプレイモジュール（41、42、43…4n）のうちの１つのディスプレイモジュールへの割当てに関する前記境界条件（50）は、
規定された期間内で表示される警報メッセージの最大数、および／または、
高い優先順位の警報メッセージの予め規定された数、
であり、
各警報チャンネル（K1、K2、K3）に対する比較モジュールは、前記複数の警報メッセージを、関連する境界条件（50）と、一致について比較し、
それぞれの前記警報チャンネル（K1、K2、K3）の前記関連する境界条件（50）に一致する複数の警報メッセージは、それぞれの前記警報チャンネル（K1、K2、K3）の対応するディスプレイモジュール（41、42、43…4n）に提示するために供給されることができ、
前記対応するディスプレイモジュール（41、42、43…4n）への割当てに関する関連する境界条件（50）に一致しない複数の警報メッセージは、
選択モジュール（31、32、33）へ供給されることができ、
別のディスプレイモジュール（41、42、43…4n）に割当てるために、予め決定されている脱出規則と一致についてチェックされることができ、
前記別のディスプレイモジュール（41、42、43…4n）への前記脱出規則においてそれぞれ決定されている条件に従って、提示するために送信されることができ、
前記脱出規則は、前記複数の警報チャンネルのうちの１つの警報チャンネルに警報メッセージをこれ以上供給できないという条件を規定する、ことを特徴とする警報管理システム。
【請求項２】
第１の警報チャンネル(K1)に割当てることができる前記複数の警報メッセージを、リストとして提示するために、前記第１の警報チャンネル(K1)を備えており、
音響信号と共に第２の警報チャンネル(K2)に割当てることができる前記複数の警報メッセージを提示するために、前記第２の警報チャンネル(K2)を備えている、ことを特徴とする請求項１記載の警報管理システム。
【請求項３】
係属中の複数の警報メッセージのための前記複数のディスプレイモジュールによって与えられるタイプの提示は、警報クラウドおよび／または警報経歴のような提示をさらに含む、ことを特徴とする請求項１又は２記載の警報管理システム。
【請求項４】
少なくとも１つの警報チャンネル（K1、K2、K3）は、ｅメールまたはＳＭＳにより電子メッセージ送信にリンクされる、ことを特徴とする請求項１乃至３のいずれか１項記載の警報管理システム。
【請求項５】
前記複数の警報メッセージは、技術設備または技術プロセスの、測定値、プロセス変数、並びに／或いは状態メッセージから形成される、ことを特徴とする請求項１乃至４のいずれか１項記載の警報管理システム。
【請求項６】
前記複数のディスプレイモジュール（41、42、43…4n）のうちの１つのディスプレイモジュールへの割当てに関する前記境界条件（50）は、係属中の複数の警報メッセージに関して送信されることができるＳＭＳまたはｅメールの予め決定された数である、ことを特徴とする請求項１乃至５のいずれか１項記載の警報管理システム。
【請求項７】
前記データ処理装置により形成される制御室に対して、複数の警報チャンネル（K1、K2、K3）が作成され、
前記複数の警報チャンネルの前記境界条件（50）は、
予め規定された数の、予め規定された優先順位の係属中の警報メッセージを、前記制御室において表示することができることおよび／または音響で知らせることができること、
を規定している、ことを特徴とする請求項１乃至６のいずれか１項記載の警報管理システム。
【請求項８】
規則に基づく評価は、以下の条件にしたがって脱出規則によって実行され、
前記条件は、
−前記警報メッセージは、チャンネル１に指定され、
前記チャンネル１は、第１の作業員に対してＳＭＳの形態で前記警報メッセージを提示することを指定されており、
前記チャンネル１が利用可能でないか、或いは前記チャンネル１が予め規定された数の係属中の警報メッセージを表示した結果として過剰負担がかけられているならば、前記警報メッセージがチャンネル２へ転送されることである、ことを特徴とする請求項１乃至７のいずれか１項記載の警報管理システム。
【請求項９】
規則に基づく評価は、以下の条件にしたがって脱出規則により実行され、
前記条件は、
−３以上の高い優先順位の警報メッセージが、前記警報チャンネル（K1、K2、K3）で係属中であるならば、より低い優先順位を有する全ての係属中の警報メッセージは、例えばアーカイブおよび／またはその後の評価と解析のために、中間バッファへ送信されることである、ことを特徴とする請求項１乃至８のいずれか１項記載の警報管理システム。
【請求項１０】
技術的設備または技術的プロセスの複数の警報メッセージを管理する方法であって、
前記複数の警報メッセージへアクセスするデータ処理装置を使用し、複数のディスプレイモジュール（41、42、43…4n）を使用して、前記複数の警報メッセージが提示され、
複数の警報チャンネル（K1、K2、K3）が、それぞれ係属中の複数の警報メッセージの異なるタイプの提示のために作成され、
作成された前記警報チャンネル（K1、K2、K3）は、前記複数のディスプレイモジュール（41、42、43…4n）のうちの１つのディスプレイモジュールへそれぞれ割当てられており、
前記作成された複数の警報チャンネル（K1、K2、K3）は、前記複数の警報メッセージを前記複数のディスプレイモジュール（41、42、43…4n）へ送信する複数の通信チャンネルの形態であり、
対応するディスプレイモジュール（41、42、43…4n）への割当てに関する境界条件（50）が、作成された前記警報チャンネル（K1、K2、K3）に対してそれぞれ規定されており、
前記複数のディスプレイモジュール（41、42、43…4n）のうちの１つのディスプレイモジュールへの割当てに関する前記境界条件（50）は、
前記技術設備の中の制御室における信号の大きさ、
規定された期間内で表示されることができる警報メッセージの最大数、および／または、
高い優先順位の警報メッセージの予め規定された数、
であり、
警報チャンネル（K1、K2、K3）ごとに、前記複数の警報メッセージを、関連する境界条件（50）と、一致について比較し、
それぞれの前記警報チャンネル（K1、K2、K3）の前記関連する境界条件（50）に一致する複数の警報メッセージは、それぞれの前記警報チャンネル（K1、K2、K3）の対応するディスプレイモジュール（41、42、43…4n）に提示するために供給され、
前記対応するディスプレイモジュール（41、42、43…4n）への割当てに関する関連する境界条件（50）と一致しない複数の警報メッセージは、
選択モジュール（31、32、33）へ供給され、
別のディスプレイモジュール（41、42、43…4n）に割当てるために、予め決定されている脱出規則と一致についてチェックされ、
それぞれ前記脱出規則において決定されている条件に従って、前記別のディスプレイモジュール（41、42、43…4n）に提示するために送信され、
前記脱出規則は、前記複数の警報チャンネルのうちの１つの警報チャンネルに警報メッセージをこれ以上供給できないという条件を規定する、ことを特徴とする方法。
【請求項１１】
第１の警報チャンネル(K1)に割当てることができる前記複数の警報メッセージを、リストとして提示するために、前記第１の警報チャンネル(K1)を備えており、
音響信号と共に第２の警報チャンネル(K2)に割当てることができる前記複数の警報メッセージを提示するために、前記第２の警報チャンネル(K2)を備えている、ことを特徴とする請求項１０記載の方法。
【請求項１２】
係属中の複数の警報メッセージに対する別のタイプの提示として、警報クラウドおよび／または警報経歴のような提示を与える、ことを特徴とする請求項１０又は１１記載の方法。
【請求項１３】
少なくとも１つの警報チャンネル（K1、K2、K3）は、ｅメールまたはＳＭＳにより電子メッセージ送信にリンクされる、ことを特徴とする請求項１０乃至１２のいずれか１項記載の方法。
【請求項１４】
前記警報メッセージは、技術設備または技術プロセスの、測定値、プロセス変数、並びに／或いは状態メッセージから形成される、ことを特徴とする請求項１０乃至１３のいずれか１項記載の方法。
【請求項１５】
前記複数のディスプレイモジュール（41、42、43…4n）のうちの１つのディスプレイモジュールへの割当てに関する前記境界条件（50）は、係属中の複数の警報メッセージに関して送信されることができるＳＭＳまたはｅメールの数により形成される、ことを特徴とする請求項１０乃至１４のいずれか１項記載の方法。
【請求項１６】
複数のデータ処理装置のうちの１つのデータ処理装置により形成される制御室に対して、複数の警報チャンネル（K1、K2、K3）が作成され、
前記複数の警報チャンネルの前記境界条件（50）は、
予め規定された数の、予め規定された優先順位の係属中の警報メッセージを、前記制御室において表示することおよび／または音響で送信すること、
を規定している、ことを特徴とする請求項１０乃至１５のいずれか１項記載の方法。
【請求項１７】
規則に基づく評価は、以下の条件にしたがって脱出規則によって実行され、
前記条件は、
−前記警報メッセージは、チャンネル１に指定され、
前記チャンネル１は、第１の作業員に対してＳＭＳの形態で前記警報メッセージを提示することを指定されており、
前記チャンネル１が利用可能でないか、または前記チャンネル１が予め規定された数の係属中の警報メッセージを表示した結果として過剰負担がかけられているならば、前記警報メッセージがチャンネル２へ転送されること、並びに／或いは、
−３以上の高い優先順位の警報メッセージが前記チャンネルで係属中であるならば、より低い優先順位を有する全ての係属中の警報メッセージを、例えばアーカイブおよび／またはその後の評価と解析のために、中間バッファへ送信することである、ことを特徴とする請求項１０乃至１６のいずれか１項記載の方法。
【発明の詳細な説明】
【技術分野】
【０００１】
本発明は警報管理システムと、測定された値、プロセス変数および／または技術的設備または技術的プロセスの状態メッセージを含む警報メッセージの管理方法とに関し、特に発電所その他の大規模な技術的設備においてプロセスの警報をグラフィックに提示するのに適している。
【背景技術】
【０００２】
警報システムは例えば発電所の設備または製造設備等、技術的設備の監視システム又は制御システムの臨界的な装置であり、即座の介入を要する設備またはプロセス状態を検出するための作業員に対する重要な補助手段である。設備又はプロセス状態を決定し表示するための警報システムの動作方法は警報メッセージによって、即ち例えばプロセス変数の規定された限度値によって決定される。設備の作業員には広範囲の方法でこれらの警報メッセージが与えられる。
【０００３】
いわゆる警報パネルはグラフィカル提示内の規定された流域を各警報メッセージに割り当てるために使用される。この警報メッセージに割り当てられた限度値が超過され、または到達に近づいたならば、例えば領域の色が変化しまたは領域の点滅が開始される。
【０００４】
従来技術から知られている提示のさらに別のタイプは、係属中の警報メッセージをリストするためのリストの使用であり、それぞれの新しい警報は連続的にリストの最初又は最後に付加されている。この場合、作業員によってまだ認識されていない警報は色でマークされ、或いは点滅する信号を使用して通報される。それらの優先順位に関して警報メッセージを示すため、異なるフォントの色が警報メッセージのそれぞれの優先順位で使用され、音響信号が高い優先順位の警報メッセージで使用されるが、前記信号は長期的には無視できない程度の雑音を発生する。
【０００５】
ＳＭＳサービスまたはｅメールを使用して設備の作業員へ通知する構成も従来技術から知られている。しかしながらこの形態の通知は警報メッセージがある数を超えないときにのみ使用されることができるが、これは大規模の技術的設備では多くは当てはまらない。
【０００６】
大規模の技術的設備で警報を提示する前述の方法は係属する警報メッセージ間の時間的な関係を識別することを全く可能にせず、或いはこのことを可能にしても困難が伴う。多量の警報により、設備の作業員は急速に過剰の負担がかかり、適時に所要の措置に応答できない。音響信号とＳＭＳとｅメール通知を使用するメッセージはしばしばスイッチをオフにされ、その理由はそうしなければそれぞれのサービスは多数の係属する警報メッセージにより過剰負担となるからである。
【発明の概要】
【０００７】
それ故、本発明は警報管理システムと、測定された値、プロセス変数および／または技術的設備又は技術的プロセスの状態メッセージを含む警報を管理する方法とを特定する目的に基づいており、その結果従来技術の前述の欠点が克服され、このことは特に発電所およびその他の大規模の技術的設備において明白にグラフィックにプロセス警報を提示するのに適している。
【０００８】
この目的は本発明によって、請求項１に特定されている特徴を有する警報管理システムにより実現される。本発明による警報管理システムおよび対応する技術的設備又は技術的プロセスの警報メッセージをグラフィックに提示する方法の有効な改善及び改良はさらにその他の請求項及び明細書に特定されている。
【０００９】
測定された値、プロセス変数、および／または技術的設備又は技術的プロセスの状態メッセージを含む警報を管理するための本発明による警報管理システムは、警報メッセージが供給されることができディスプレイモジュールを使用して提示されることができるデータ処理装置を具備している。
【００１０】
データ処理装置はそれぞれ係属中の警報メッセージの異なるタイプの提示用の警報チャンネルを作成するモジュールを有し、それぞれモジュールを使用して作成される警報チャンネルはディスプレイモジュールの１つに割当てられる。作成された警報チャンネルは警報メッセージをディスプレイモジュールへ送信する通信チャンネルの形態である。
【００１１】
この場合、警報は例えばリストの形態および／または音響信号を伴って提示されることができる。警報チャンネルはまたｅメールまたはＳＭＳによる電子メッセージ送信へリンクされることもでき、その結果として技術的設備又は技術的プロセスの作業員が制御システムまたは設備の制御室の外であってもその作業員に割り当てられた警報メッセージを受信および／または評価することを有効に可能にする。
【００１２】
対応するディスプレイモジュールへの割当てに関する境界条件はそれぞれ作成されたチャンネルに割当てられる。音響信号を提示するためのチャンネルの例示的な境界条件は例えば、設備の制御室における信号量である。例えば規定された時間期間内で表示されることができる警報メッセージの最大数および／または高い優先順位の警報メッセージの予め規定された数が境界条件として、リストの形態で警報メッセージを提示するための作成されたチャンネルに割当てられる。係属中の警報メッセージに関する限定された数のＳＭＳまたはｅメールが就業日内で設備作業員に送信され表示される事実もそれぞれのチャンネルの境界条件として規定されることもできる。
【００１３】
本発明による１つの例示的な実施形態はデータ処理装置のうちの１つにより形成される制御室について作成されるチャンネルを与え、そのチャンネルが規定する境界条件は例えば最大で２つの低い優先順位の警報メッセージが制御室で表示されおよび／または音響的に通報されることである。
【００１４】
本発明は各チャンネルに対して比較モジュールを使用して一致について関連される境界条件と比較される警報メッセージを提供する。それぞれのチャンネルの予め規定された境界条件と一致する警報メッセージは提示の目的でそれぞれのチャンネルの対応するディスプレイモジュールに供給されることができる。対応するディスプレイモジュールへの割当てに関して関連される境界条件に一致しない警報メッセージは選択モジュールに供給されることができ、それぞれのディスプレイモジュールへの割当てについて先に規定された脱出規則との一致をチェックされることができ、脱出規則にそれぞれ規定されている条件にしたがって提示の目的で、対応するディスプレイモジュールへ送信されることができる。
【００１５】
脱出規則は先に作成されたチャンネルのうちの１つへ供給されることができる警報メッセージが存在しないという条件を規定する。
【００１６】
例えば、規則ベースの評価は以下の条件にしたがって脱出規則により実行されることができる：
−作業員１に対してＳＭＳの形態で警報メッセージを提示することを意図されているチャンネル１を使用する。  
−チャンネル１が利用可能ではないか、或いは非常に多くの警報メッセージを表示する結果として過剰負担であるならば、警報メッセージはそれをチャンネル２へ転送されるように意図され、チャンネル２は作業員２についてＳＭＳの形態で警報メッセージを提示することを意図される。  
−チャンネル２が利用可能ではないならば、警報メッセージは制御室へ通報されそこで表示されることを意図される。
【００１７】
以下の条件は脱出規則の別の例を記述している。  
−３以上の高い優先順位の警報が対応するチャンネルで係属中であるならば、低い優先順位を有する全ての係属中の警報メッセージは例えばアーカイブおよび／またはその後の評価及び解析のために中間バッファへ送信される。
【００１８】
本発明による警報管理システムによって、対応するチャンネルにそれぞれ割当てられているディスプレイモジュールの観察者は、彼らがディスプレイモジュール上の警報メッセージを受信するだけであり、前記メッセージを適時に処理することも可能であり、必要な措置によって前記メッセージに応答できるので、特に多量の係属中の警報メッセージが存在するときでさえも、もはや過剰負担状態ではない。
【００１９】
さらに、目的のセットは、測定された値、プロセス変数および／または技術的設備又は技術的プロセスの状態メッセージを含む警報メッセージを管理する方法によっても実現され、警報メッセージはディスプレイモジュールを使用して提示される。本発明による方法はデータ処理装置を使用して実行され、そのデータ処理装置はプロセス又は設備から警報メッセージへのアクセスを有する。
【００２０】
本発明による方法によれば、警報チャンネルは異なるタイプのそれぞれ係属中の警報メッセージの提示について作成され、それぞれの作成された警報チャンネルはそれぞれ異なるタイプの提示についてのディスプレイモジュールの１つへ割当てられ、ディスプレイモジュールはリスト、警報クラウド、音響信号および／または警報経歴を伴った提示の形態で係属中の警報メッセージに対する提示タイプを提供する。
【００２１】
本発明による方法のシーケンスは以下説明する方法ステップを使用して説明される。
【００２２】
第１のステップでは、警報チャンネルはそれぞれの係属中の警報メッセージの異なるタイプの提示について作成され、異なるタイプの提示について作成された警報チャンネルはそれぞれ対応するディスプレイモジュールに割当てられる。
【００２３】
第２のステップでは、対応するディスプレイモジュールへの割当てに関する境界条件はそれぞれ作成されたチャンネルについて規定され、第３のステップでは係属中の警報メッセージは各チャンネルの一致について関連される境界条件と比較される。
【００２４】
第４の方法ステップでは、各チャンネルの関連される境界条件と一致する警報メッセージは表示の目的で各チャンネルの対応するディスプレイモジュールに供給される。
【００２５】
対応するディスプレイモジュールへの割当てに関して関連される境界条件と一致しない警報メッセージは、さらに別のステップで選択モジュールへ供給され、それぞれのディスプレイモジュールへの割当てるための先に規定された脱出規則との一致をチェックされる。
【００２６】
最後のステップでは、先行するステップで脱出規則によりチェックされた警報メッセージは脱出規則でそれぞれ規定された条件にしたがって提示の目的で対応するディスプレイモジュールへ送信される。
【００２７】
本発明及びその利点と改善を図面で示されている例示的な実施形態を使用して以下さらに説明する。  
【図面の簡単な説明】
【００２８】
【図１】係属中の警報メッセージを管理するための例示的なシステムを示す図である。
【図２】警報クラウドを使用して警報メッセージを提示するための例示的な表示モジュールを示す図である。
【図３】係属中の警報の時間プロフィールを示す警報記録を使用して係属中の警報メッセージを提示するための別のディスプレイモジュールを示す図である。
【発明を実施するための形態】
【００２９】
図１は発電所の設備の警報メッセージへアクセスする例示的な警報管理システム１を示している。
【００３０】
警報メッセージは、例えばデータ処理装置から、測定された値、プロセス変数および／または発電所の設備の状態メッセージを含む係属中の警報メッセージを管理するための本発明によるシステム１に与えられることができ、ディスプレイモジュール41、42、43、44を具備する表示装置40を使用して提示されることができる。
【００３１】
本発明による警報管理システム１は警報チャンネルを作成するためのモジュール10を具備している。モジュール10を使用して作成された警報チャンネルK1、K2、K3、…Knはそれぞれ係属している警報メッセージの異なる提示タイプ用に設定され、異なる提示タイプのための警報チャンネルK1、K2、K3、…Knはそれぞれ表示装置40の対応するディスプレイモジュール41、42、43、…4nに割当てられることができる。第１のチャンネルK1に割当てられることができる警報メッセージは例えば第１の作成されたチャンネルK1に対してリストの形態で提示され、第２のチャンネルK2に割当てられることができる警報メッセージは例えば第２の作成されたチャンネルK2に対して音響を伴う警報表示の形態で提示される。
【００３２】
対応するディスプレイモジュール41、42、43、…4nへの割当てに関する（以下、属性とも呼ぶ）境界条件50は本発明による方法にしたがって作成されたチャンネルK1、K2、K3、…Knに対して規定される。例えば異なるフォントサイズおよび／または異なる色が関連される警報メッセージを表示するために第１のチャンネルK1に割当てられ、異なるボリュームが境界条件50としてそれぞれ係属している警報メッセージの優先順位に基づいて第２のチャンネルK2へ割当てられる。
【００３３】
各チャンネルK1、K2、K3、…Knでは、警報メッセージは警報管理システム１で一体化された比較モジュール21、22、23を使用して一致について関連される境界条件50と比較される。
【００３４】
それぞれのチャンネルK1、K2、K3、…Knの関連される境界条件50と一致する警報メッセージは、例えば第１のチャンネルK1について境界条件50と一致する第１の警報メッセージが第１のディスプレイモジュール41により提示されるという効果に対する提示の目的で、それぞれのチャンネルの対応するディスプレイモジュール41、42、43、…4nに供給されることができる。
【００３５】
対応するディスプレイモジュール41、42、43、…4nへの割当てに関して関連される境界条件50と一致しない警報メッセージは選択モジュール31、32、33に供給されることができ、それぞれのディスプレイモジュール41、42、43、…4nへの割当てのため先に規定された脱出規則との一致をチェックされ、チェックの結果および脱出規則でそれぞれ規定された条件にしたがって提示のために対応するディスプレイモジュール41、42、43、…4nへ送信されることができる。例えば実際に第２のチャンネルK2を意図されている第２の警報メッセージは第２のチャンネルK2の一時的な過剰負担の理由で第２のディスプレイモジュール42に割当てられるのではなく、係属中の警報メッセージに対する受信容量が予め規定された脱出規則にしたがってまだ到達されていないさらに別のディスプレイモジュール44に送信される。
【００３６】
図２はいわゆる警報クラウド100を使用して発電所の制御室又は制御システム中の警報を視覚化するための例示的なディスプレイモジュールを示している。
【００３７】
ディスプレイモジュール41、42、43、44上の警報クラウドの形態の警報メッセージの提示タイプは以下の境界条件50を与え、例えばシーケンス、フォントサイズ、フォントカラー、フォントの透明度、対応する警報メッセージのフォントの点滅である。本発明によれば、これらの境界条件50は任意の所望な方法で警報の特性、例えばそれらの優先順位、最新度、メッセージに対する応答が与えられるべき時間フレーム、または警報が既に付勢されている頻度にリンクされることができる。
【００３８】
シーケンス、特にメッセージの優先順位を示すための特定の色、および／または表示された警報メッセージを承認することをリクエストする点滅だけが提示のタイプとして通常使用される通常の警報リストと比較して、さらに別の属性50例えば表示された警報メッセージのフォントサイズおよびフォントの透明度が有効に視覚化されることができる。データ処理装置のスクリーン上のカーソルが対応するフィールドまたはスクリーン上の対応する領域上を誘導されるならば、または対応するエントリがクリックされるか選択されるならば、警報に関係する詳細な情報は例えば表示される時間的なウィンドウの形態でリクエストに応じて利用可能にされることができる。
【００３９】
係属中の警報メッセージは例えばリストでそれらの優先順位にしたがって分類され、その後、先に規定された境界条件50にしたがって大きい面積のウィンドウ110の形態で表示される。
【００４０】
個々に異なる加重にされた警報メッセージは、リストの形態、それらの提示のサイズ、または色のハイライトによりディスプレイモジュール41で提示される事実もまた境界条件50として規定されることもできる。
【００４１】
図３は係属中の警報の継続期間および時間的関係または時間的プロフィールを示す警報記録200により係属中の警報メッセージを提示するための別の例示的なディスプレイモジュールを示している。図３による警報の提示は警報経歴とも呼ばれる。
【００４２】
示されている提示では、かなり良好な方法で、例えば複数の警報が同時に生じたかおよび／または短時間だけアクチブであるかを見分けることが可能である。さらに、優先順位、状態または継続期間のような異なる条件は異なる色および輝度により直観的に視覚化されることができる。線の幅は究極のケースでは１画素に限定されることができるので、多数の警報が視覚化されることもできる。さらに、警報の名称、時間スタンプまたは警報の説明文のようなさらに詳細が拡大鏡とも呼ばれる移動可能な拡大装置210を使用して利用可能にされることもできる。  
以下に、本願出願時の特許請求の範囲に記載された発明を付記する。
［１］技術的設備または技術的プロセスの警報メッセージを管理するための警報管理システムであって、前記警報メッセージはデータ処理装置へ供給されることができ、ディスプレイモジュール（41、42、43…4n）を使用して提示されることができる前記警報管理システムにおいて、
前記データ処理装置は前記それぞれの係属中の警報メッセージの異なるタイプの提示のために警報チャンネル（K1、K2、K3）を作成するためのモジュール（10）を有し、前記モジュール（10）を使用して作成された各前記警報チャンネル（K1、K2、K3）はそれぞれ前記ディスプレイモジュール（41、42、43…4n）の１つへ割当てられており、前記ディスプレイモジュール（41、42、43…4n）はリストおよび／または警報クラウド、および／または音響信号および／または警報経歴を伴った提示の形態で前記警報メッセージについての提示タイプを提供することを特徴とする警報管理システム。
［２］前記作成された警報チャンネル（K1、K2、K3）は通信チャンネルの形態であり、前記警報メッセージを前記ディスプレイモジュール（41、42、43…4n）へ送信することと意図されていることを特徴とする前記［１］記載の警報管理システム。
［３］前記対応するディスプレイモジュール（41、42、43…4n）への割当てに関する境界条件（50）は前記作成されたチャンネル（K1、K2、K3）に対してそれぞれ規定され、各チャンネル（K1、K2、K3）に対する比較モジュールは前記警報メッセージを一致について前記関連される境界条件（50）と比較し、前記それぞれのチャンネル（K1、K2、K3）の前記関連される境界条件（50）と一致する警報メッセージは提示の目的で前記それぞれのチャンネル（K1、K2、K3）の前記対応するディスプレイモジュール（41、42、43…4n）へ供給されることができ、前記対応するディスプレイモジュール（41、42、43…4n）への割当てに関する前記関連される境界条件（50）と一致しない警報メッセージは選択モジュール（31、32、33）へ供給されることができ、規則ベースの評価にしたがってディスプレイモジュール（41、42、43…4n）への割当てについて一致をチェックされることができ、提示の目的で前記関連されるディスプレイモジュール（41、42、43…4n）へ対応して送信されることができることを特徴とする前記［１］又は［２］記載の警報管理装置。
［４］少なくとも１つの警報チャンネル（K1、K2、K3）はｅメールまたはＳＭＳにより電子メッセージ送信にリンクされることを特徴とする前記［１］乃至前記［３］のいずれか１つに記載の警報管理システム。
［５］前記警報メッセージは測定された値、プロセス変数および／または技術設備または技術プロセスの状態メッセージから形成されることを特徴とする前記［１］乃至［４］のいずれか１つに記載の警報管理システム。
［６］前記ディスプレイモジュール（41、42、43…4n）の１つへの割当てに関する境界条件（50）は前記設備の前記制御室における信号量と、規定された時間期間内で表示されることができる警報メッセージの最大数および／または高い優先順位の警報メッセージの前もって規定された数であることを特徴とする前記［１］乃至［５］のいずれか１つに記載の警報管理システム。
［７］前記ディスプレイモジュール（41、42、43…4n）の１つへの割当てに関する前記境界条件（50）は係属中の警報メッセージに関して送信されることができるＳＭＳまたはｅメールの予め決定された数であることを特徴とする前記［１］乃至［６］のいずれか１つに記載の警報管理システム。
［８］チャンネル（K1、K2、K3）はデータ処理装置の１つにより形成される制御室に対して作成され、そのチャンネルが規定する前記境界条件（50）は、先に規定された優先順位の係属中の警報メッセージの先に規定された数が表示されることができおよび／または制御室で音響的に通報されることができることであることを特徴とする前記［１］乃至［７］のいずれか１つに記載の警報管理システム。
［９］前記規則ベースの評価は、以下の条件にしたがって脱出規則によって実行され、前記条件は、
−前記警報メッセージは第１の作業員に対してＳＭＳの形態で警報メッセージを提示することを意図されている第１のチャンネルを意図されており、前記第１のチャンネル１が利用可能ではないか、或いは前記第１のチャンネルが係属中の警報メッセージの先に規定された数を表示した結果として過剰負担されているならば、前記警報メッセージはチャンネル２へ転送されることを特徴とする前記［１］乃至［８］のいずれか１つに記載の警報管理システム。
［１０］規則ベースの評価は以下の条件にしたがって脱出規則により実行され、前記条件は、
−３以上の高い優先順位の警報がチャンネル（K1、K2、K3）で係属中であるならば、低い優先順位を有する全ての係属中の警報メッセージは例えばアーカイブおよび／またはその後の評価及び解析のために中間バッファへ送信されることを特徴とする前記［１］乃至［９］のいずれか１つに記載の警報管理システム。
［１１］技術的設備または技術的プロセスの警報メッセージを管理する方法であって、前記警報メッセージはディスプレイモジュール（41、42、43…4n）を使用し、前記警報メッセージへアクセスするデータ処理装置を使用して提示される前記方法において、
前記警報チャンネル（K1、K2、K3）は前記それぞれの係属中の警報メッセージの異なるタイプの提示のために作成され、前記作成された各前記警報チャンネル（K1、K2、K3）はそれぞれ前記ディスプレイモジュール（41、42、43…4n）の１つへ割当てられており、前記ディスプレイモジュール（41、42、43…4n）はリストおよび／または警報クラウド、および／または音響信号および／または警報経歴を伴った提示の形態で前記係属中の警報メッセージについての提示タイプを提供することを特徴とする方法。
［１２］前記作成された警報チャンネル（K1、K2、K3）は前記警報メッセージを前記ディスプレイモジュール（41、42、43…4n）へ送信するための通信チャンネルの形態であることを特徴とする前記［１１］記載の方法。
［１３］前記対応するディスプレイモジュール（41、42、43…4n）への割当てに関する境界条件（50）は前記作成されたチャンネル（K1、K2、K3）でそれぞれ規定され、前記警報メッセージは各チャンネル（K1、K2、K3）で一致について前記関連される境界条件（50）と比較され、前記それぞれのチャンネル（K1、K2、K3）の前記関連される境界条件（50）と一致する警報メッセージは提示の目的で前記それぞれのチャンネル（K1、K2、K3）の前記対応するディスプレイモジュール（41、42、43…4n）へ供給され、前記対応するディスプレイモジュール（41、42、43…4n）への割当てに関する前記関連される境界条件（50）と一致しない警報メッセージは選択モジュール（31、32、33）へ供給され、規則ベースの評価にしたがってディスプレイモジュール（41、42、43…4n）への割当てについて一致をチェックされ、提示の目的で前記関連されるディスプレイモジュール（41、42、43…4n）へ対応して送信されることを特徴とする前記［１１］又は［１２］記載の方法。
［１４］少なくとも１つの警報チャンネル（K1、K2、K3）はｅメールまたはＳＭＳにより電子メッセージ送信にリンクされることを特徴とする前記［１１］乃至［１３］のいずれか１つに記載の方法。
［１５］前記警報メッセージは測定された値、プロセス変数および／または技術設備または技術プロセスの状態メッセージから形成されることを特徴とする前記［１１］乃至［１４］のいずれか１つに記載の方法。
［１６］前記ディスプレイモジュール（41、42、43…4n）の１つへの割当てに関する前記境界条件（50）は、前記設備の前記制御室における信号量と、規定された時間期間内で表示されることができる警報メッセージの最大数および／または高い優先順位の警報メッセージの前もって規定された数から形成されることを特徴とする前記［１１］乃至［１５］のいずれか１つに記載の方法。
［１７］前記ディスプレイモジュール（41、42、43…4n）の１つへの割当てに関する前記境界条件（50）は、係属中の警報メッセージに関して送信されることができるＳＭＳまたはｅメールの数により形成されることを特徴とする前記［１１］乃至［１６］のいずれか１つに記載の方法。
［１８］チャンネル（K1、K2、K3）はデータ処理装置の１つにより形成される制御室に対して作成され、そのチャンネルが規定する前記境界条件（50）は、先に規定された優先順位の係属中の警報メッセージの先に規定された数が表示されることができおよび／または制御室で音響的に通報されることができることであることを特徴とする前記［１１］乃至［１７］のいずれか１つに記載の方法。
［１９］前記規則ベースの評価は以下の条件にしたがって脱出規則によって実行され、前記条件は、
−前記警報メッセージが第１の作業員に対してＳＭＳの形態で警報メッセージを提示することを意図されている第１のチャンネルを意図されており、前記第１のチャンネル１が利用可能ではないか、或いは前記第１のチャンネルが係属中の警報メッセージの先に規定された数を表示した結果として過剰負担されているならば、前記警報メッセージはチャンネル２へ転送され、および／または
−３以上の高い優先順位の警報が前記チャンネルで係属中であるならば、低い優先順位を有する全ての係属中の警報メッセージは例えばアーカイブおよび／またはその後の評価及び解析のために中間バッファへ送信されることを特徴とする前記［１１］乃至［１８］のいずれか１つに記載の方法。
【図１】
0005694297.tif 000002
【図２】
0005694297.tif 000003
【図３】
0005694297.tif 000004